(57)【要約】  本発明は、多数の部屋（４４、４６、４８）および／または部屋領域の空調制御用の２チャネル空調装置（１０）で、空調制御対象である各部屋（４４、４６、４８）ごとに空気流入装置（５２）を有し、少なくとも一対の供給空気チャネル（２０、２２）を有し、少なくとも１個の供給チャネル（２０、２２）が空調制御対象である各部屋（４４、４６、４８）ごとに少なくとも１個の温度調節器を有する冷却調節装置（３２；５８）および／または加熱調節装置（３４；６０）を備え、これが空調制御対象である部屋（４４、４６、４８）を設定が可能な室温（ＴRaumsoll）に保ち、供給空気チャネル（２０、２２）を空気流入装置（５２）に接続する弁装置（５４、７２）を有する装置（１０）に関する。  本発明は、切り換えを可能にし、空調制御対象である部屋（４４、４６、４８）を冷房または暖房するのに供給空気チャネル（２０、２２）の少なくとも一方の温度が不十分である場合にのみ、必要に応じて冷却調節装置（３２；５８）または加熱調節装置（３４；６０）を開くことを特徴とするものである。【選択図】図１
2011513684.tif 000002
【特許請求の範囲】
【請求項１】
空調制御対象である各部屋（４４、４６、４８）ごとに空気流入装置（５２）と、少なくとも１つの供給空気チャネル（２０、２２）が空調制御対象である各部屋（４４、４６、４８）ごとに少なくとも１個の温度調節器を有する冷却調節装置（３２；５８）および／または加熱調節装置（３４；６０）を備える、少なくとも一対の供給空気チャネル（２０、２２）と、
空調制御対象である前記部屋（４４、４６、４８）を設定が可能な室温（ＴRaumsoll）に保つとともに、空調制御対象である各部屋について少なくとも一つの温度調節器と、
少なくともいずれかの前記供給空気チャネル（２０、２２）と接続されて、それぞれの空気流入装置（５２）に接続する弁装置（５４、７２）とを有する、多数の部屋（４４、４６、４８）および／または部屋領域を空調制御する２チャネル空調装置（１０）において、
前記それぞれの供給空気チャネル（２０、２２）から空調制御対象である前記個々の部屋（４４、４６、４８）への供給空気量が互いに独立して調整できるように、前記弁装置（５４、７２）を互いに独立して設けていることを特徴とする装置（１０）。
【請求項２】
前記弁装置（５４、７２）が、前記供給空気チャネル（２０、２２）のうち一系統だけを空調制御対象である部屋（４４、４６、４８）の前記空気流入装置（５２）に接続するようにも設けて制御されることを特徴とする請求項１記載の２チャネル空調装置。
【請求項３】
前記各供給空気チャネル（２０、２２）内の圧力と温度と湿度と密度のうち少なくとも一つの要素が、他の前記供給空気チャネル（２０、２２）内のそれぞれの要素とは独立して調整されることを特徴とする請求項１または２記載の２チャネル空調装置。
【請求項４】
前記空調制御対象である部屋内の前記温度調節器と協働する回路を設け、これを前記供給空気チャネル（２０、２２）内の前記温度センサ（３８、６４）と、空調制御対象である部屋（４４、４６、４８）内の前記温度センサと、少なくとも１系統の供給空気チャネル（２０、２２）に関連する前記冷却調節装置（３２；５８）および前記加熱調節装置（３４；６０）とに接続し、空調制御対象である前記部屋（４４、４６、４８）の冷房または暖房用の少なくとも１系統の供給空気チャネル（２０、２２）の温度が、供給空気量に鑑みて不十分であるときにのみ、前記冷却調節装置（３２；５８）または前記加熱調節装置（３４；６０）を開く制御信号を前記回路が出力することを特徴とする請求項１乃至請求項３のいずれかに記載の２チャネル空調装置。
【請求項５】
前記供給空気チャネル（２０、２２）内の圧力が、弁装置を形成するフラップ（５４、７２）、および／または、供給空気モータ（１４）により要求される空気量に応じて制御することを特徴とする請求項１乃至請求項４のいずれかに記載の２チャネル空調装置。
【請求項６】
前記２系統の供給空気チャネル（２０、２２）において、空調制御対象である前記部屋（４４、４６、４８）の前記冷房または前記暖房温度が十分でないときにのみ、前記冷却調節装置（３２；５８）または前記加熱調節装置（３４；６０）を開く制御信号を前記回路が出力することを特徴とする請求項１乃至請求項５のいずれかに記載の２チャネル空調装置。
【請求項７】
前記供給空気チャネル（２０、２２）の少なくとも１系統が、加熱調節装置（３４；６０）および／または冷却調節装置（３２；５８）を備えていることを特徴とする請求項１乃至請求項６のいずれかに記載の２チャネル空調装置。
【請求項８】
前記供給空気チャネル（２０、２２）の他方もまた、加熱調節装置（３４；６０）および／または冷却調節装置（３２；５８）を選択的に備えていることを特徴とする請求項７記載の２チャネル空調装置。
【請求項９】
前記供給空調チャネル（２０、２２）の前記冷却調節装置（３２；５８）と前記加熱調節装置（３４；６０）が、設定された温度範囲内で調整可能であることを特徴とする請求項１乃至請求項８のいずれかに記載の２チャネル空調装置。
【請求項１０】
前記供給空気チャネル（２０、２２）内の最低供給空気温度が、実質的にシステム（１０）を破壊しない最低温度に対応することを特徴とする請求項１乃至請求項９のいずれかに記載の２チャネル空調装置。
【請求項１１】
前記供給空気チャネル（２０、２２）へ供給される空気量が互いに独立して可変であることを特徴とする請求項１乃至請求項１０のいずれかに記載の２チャネル空調装置。
【請求項１２】
前記空調制御対象である個々の部屋（４４、４６、４８）または部屋領域への前記供給空気量が、前記供給空気温度（Ｔzu）に応ずると同様に、空調制御対象である前記部屋（４４、４６、４８）または空調制御対象である前記部屋領域の温度（ＴRaumist）と前記所定の温度目標値（ＴRaumsoll）との間の差分にも応じて変化することを特徴とする請求項１乃至請求項１１のいずれかに記載の２チャネル空調装置。
【請求項１３】
前記供給空気用の加湿および／または除湿装置（３６、６２）を少なくとも一つの供給空気チャネル（２０、２２）内に設け、これら装置が切り換え投入されることを特徴とする請求項１乃至請求項１２のいずれかに記載の２チャネル空調装置。
【請求項１４】
前記供給空気チャネル用（２０，２２）にさらに冷房および／または暖房装置（１６）を配設し、これら装置が切り換え投入されることを特徴とする請求項１乃至請求項１３のいずれかに２チャネル空調装置。
【請求項１５】
前記供給空気チャネル（２０、２２）が異なる供給空気量に設計されることを特徴とする請求項１乃至請求項１４のいずれかに記載の２チャネル空調装置。
【請求項１６】
前記冷却調節装置（３２；５８）および／または前記加熱調節装置（３４；６０）、および／または前記加湿および除湿装置（３６、６２）が、それぞれの供給空気チャネル内の最大可能な供給空気量に従って設計されることを特徴とする請求項１４記載の２チャネル空調装置。
【請求項１７】
前記供給空気チャネル内の前記空気量と前記圧力と前記温度と前記湿度の値の制御が、換気対象である前記供給空気チャネルおよび前記部屋／前記部屋領域の密度値に応じて影響されることを特徴とする請求項１乃至請求項１６のいずれかに記載の２チャネル空調装置。
【発明の詳細な説明】
【技術分野】
【０００１】
本発明は、請求項１の前文に記載したような多数の部屋の空調制御用の２チャネル空調装置に関する。
【背景技術】
【０００２】
部屋、特にビルの部屋は、例えば、それらの北や南に対する向きや、それらの優勢な風向きに対する向きにより、または、この種の部屋の中の装置類により、異なる暖冷房負荷にさらされることがある。
それ故、このような場合、空調制御対象である空気は空調制御対象である部屋内へ異なる条件で供給しなければならないので１チャネル空調装置と域別空調装置は多数の部屋を有するビルの空調制御に適合するとは限らない。
【０００３】
この目的に合わせ、２チャネル空調装置が過去何回となく造られてきた。
そこでは、外気を室外から吸引し、若干の基本的な処置後に外気送風機により供給する。
一方の外気チャネルでは、外気は空気加熱機、すなわち、加熱調節装置（Heizregister）により加熱される。
それにより、このチャネルは高温空気チャネルを形成する。
他方の外気チャネルでは、外気は面冷却式冷却調節装置（Kuehlregister）により冷却される。
それにより、このチャネルは低温空気チャネルを形成する。
空調制御対象である部屋の各個別空気流出口は、混合器を介して高温空気チャネルと低温空気チャネルへつながる接続路を備えている。
それ故、高温空気チャネルと低温空気チャネルの接続箇所で空気流出口に接続すべく、混合器が配設される。
高温空気チャネルからの高温の空気と低温空気チャネルからの低温の空気は、混合器内で互いに混合される。
この目的に合わせ、混合器内には混合装置が挿入され、この装置は空圧式アクチュエータ（pneumatischen Stellmotor）と、低温空気チャネルと協働する低温空気弁と、高温空気チャネルと協働する高温空気弁とを備える。
空圧式アクチュエータにより、弁位置は互いに連結される。
高温空気チャネルに通ずる弁を３０％開弁させた場合、低温空気チャネルに通ずる弁は同時に７０％に開弁される。
それにより、常に１００％の開弁量が得られ、これにより混合器を介して供給される空気量は常に同一に保たれる。
【０００４】
空圧式アクチュエータにより弁を駆動することで、高温空気と低温空気の混合は空気量を維持したまま制御される。
例えば、最大冷房負荷を有する部屋は低温空気だけを受け入れ、すなわち、低温空気チャネルへの弁が１００％開き、同時に高温空気チャネルへの弁は０％開き、またさらに最大暖房負荷を有する部屋は高温の空気だけを受け入れ、すなわち、高温空気チャネルへの弁が１００％開き、同時に低温空気チャネルへの弁は０％開き、またさらに部分負荷を有する部屋は、弁が対応する開弁位置にある状態で低温空気と高温空気の混合気を受け入れる。
【０００５】
この種の空調システムは、例えば、Ｒｅｃｋｎａｇｅｌ、Ｓｐｒｅｎｇｅｒ、Ｓｃｈｒａｍｅｋ共著、「暖房及び空調技術ハンドブック（Ｔａｓｃｈｅｎｂｕｃｈ  ｆｕｒ  Ｈｅｉｚｕｎｇ  ｕｎｄ  Ｋｌｉｍａｔｅｃｈｎｉｋ）」、ミュンヘン市オルデンブルク工業出版社２００３年発行の書籍のｐｐ１０９３−１０９６によって公知である。
【０００６】
ＤＥ３５０９６２１Ｃ２、ＤＥ３３０７１１６Ａ１、ＤＥ１４５４６３５Ａ、ＤＥ１４５４６１５Ａ、ＤＥ２１３５９３４Ａ、ＣＨ５７６６０９Ａもまた、それぞれ前述の２チャネル空調装置に関するものである。
換気技術システムは、ＤＥ１９８４７５０４Ｃ１だけでなくＤＥ１５８０９８３Ａからも明らかである。
【先行技術文献】
【特許文献】
【０００７】
【特許文献１】独国特許発明第３５０９６２１号明細書（ＤＥ３５０９６２１Ｃ２）
【特許文献２】独国特許出願公開第３３０７１１６号明細書（ＤＥ３３０７１１６Ａ１）
【特許文献３】独国特許出願公開第１４５４６３５号明細書（ＤＥ１４５４６３５Ａ）
【特許文献４】独国特許出願公開第１４５４６１５号明細書（ＤＥ１４５４６１５Ａ）
【特許文献５】独国特許出願公開第２１３５９３４号明細書（ＤＥ２１３５９３４Ａ）
【特許文献６】瑞西特許出願公開第５７６６０９号明細書（ＣＨ５７６６０９Ａ）
【特許文献７】独国特許発明第１９８４７５０４号明細書（ＤＥ１９８４７５０４Ｃ１）
【特許文献８】独国特許出願公開第１５８０９８３号明細書（ＤＥ１５８０９８３Ａ）
【非特許文献】
【０００８】
Ｒｅｃｋｎａｇｅｌ、Ｓｐｒｅｎｇｅｒ、Ｓｃｈｒａｍｅｋ共著、「暖房及び空調技術向けハンドブック（Ｔａｓｃｈｅｎｂｕｃｈ  ｆｕｒ  Ｈｅｉｚｕｎｇ  ｕｎｄ  Ｋｌｉｍａｔｅｃｈｎｉｋ）」、ミュンヘン市オルデンブルク工業出版社２００３年、ｐｐ１０９３−１０９６
【発明の概要】
【発明が解決しようとする課題】
【０００９】
上記の２チャネルシステムの欠陥は、低温空気チャネル内だけでなく高温空気チャネル内についても、冬季だけでなく夏季にも高温空気と低温空気を恒久的に利用可能としなければならない点にある。
それ故、一方のチャネル内の通風調節装置は常時駆動される。
さらに、周知のシステムではほぼ一定量の空気が常時両チャネル内に恒久的に供給される。
より高速の冷房や暖房をもたらすための空気量の個別増大は、不可能である。
それ故、周知の２チャネル空調装置は極めて大量のエネルギを消費する、極めて柔軟性を欠くものとなる。
今日まで、この種のシステムを用いたエネルギ消費の低減は不可能である。
【課題を解決するための手段】
【００１０】
本発明は、柔軟性を増すようこの種の２チャネル空調装置をさらに発展させるという目的に基づくものである。
さらに、エネルギ消費を著しく低減し、特に、既存の２チャネル空調装置に本発明を適用できるようにすべく、予空調を設けるべきである。
【００１１】
この目的は、前文の特徴と関連して請求項１を特徴付ける特徴により達成される。
本発明のさらなる利点と特徴は、下位請求項に従う。
【００１２】
本発明は、空調制御対象である部屋における個別の空調要件に弁装置の連結が応えきれておらず、それによってエネルギの浪費に直面しているとの発見に基づくものである。
弁装置を分離することで、この問題は簡単な方法で解決することができる。
ここで、空調制御対象である部屋への他方の供給空気チャネルからの供給空気の最大量だけでなく一方の供給空気チャネルからの供給空気の最大量もまた、要求に応じて導入することが可能である。
要求される条件に対する高速適応性と高い柔軟性が、それにより達成される。
【００１３】
それ故、本発明によれば、空調制御対象である個々の部屋への個々の供給空気チャネルからの空気量が互いに独立して調整されるように、弁装置は互いに独立して形成される。
【００１４】
本発明の一実施例によれば、弁装置は、それぞれ供給空気チャネルのうち１系統だけとも空調制御対象である部屋の空気流入装置に接続されるように形成され制御される。
【００１５】
好ましくは、供給空気チャネル内の圧力と温度と湿度と密度の各要素のうち１つを他の供給空気チャネル内のそれぞれの要素とは無関係に制御／調節する制御パラメータとして用いることができる。
それによって、システムを最適化する柔軟性ならびに可能性はさらに改善される。
【００１６】
本発明のもうひとつの特徴によれば、要求があった場合にのみ個々の供給空気チャネル内の冷却調節装置または加熱調節装置が駆動され、それによってエネルギ消費を相当に低減できるという発見に基づくものである。
それにより、エネルギの節約を最適化するさらに多数の可能性が得られる。
【００１７】
好ましくは、２チャネル空調装置は、空調制御対象である部屋の温度調節器と協働する回路で、供給空気チャネル内の温度センサと、空調制御対象である部屋の中の温度センサと、少なくとも１個の供給空気チャネル内に配置した冷却調節装置または加熱調節装置と接続した回路を備え、それによって少なくとも１個の供給空気チャネル内の温度が供給空気量に鑑みて空調制御対象である部屋の冷房または暖房にとって不十分である場合にのみ、冷却調節装置または加熱調節装置を開ける位置信号を回路が出力する。
それにより、冷却調節装置および／または加熱調節装置はここではもはや恒久的に駆動されないので、単純な仕方で相当のエネルギ費用を節約することができる。
【００１８】
そこでは、好ましくは供給空気チャネル内の圧力は弁装置を形成するフラップおよび／または供給空気モータを介して要求される空気量に応じて制御される。
【００１９】
特に、各供給空気チャネルは加熱調節装置および／または冷却調節装置を設けて構成することができ、またこれに代替するものとして、１系統の供給空気チャネルに加熱調節装置を設けて、第２の供給空気チャネルに冷却調節装置を設けて構成することもできる。
【００２０】
本発明のもうひとつの実施例によれば、供給空気チャネルの冷却調節装置および加熱調節装置は予め設定した温度範囲内で互いに独立して調整可能である。
【００２１】
両供給空気チャネル用に変更された弁制御のために、以前必要とされた混合器だけでなく高温空気チャネルおよび低温空気チャネルに対する以前の指定（Ｆｅｓｔｌｅｇｕｎｇ）もまた完全に省くことができる。
さらに、暖房や冷房要求に対しても空気量制御のさらなる可能性がこれによって得られる。
【００２２】
供給空気チャネル内の供給空気の最小温度が、、例えば、１２℃のシステムを破壊しない最小温度に実質対応する点で、さらなるエネルギ費用もまた節約することができる。
【００２３】
好ましくは、個々の供給空気チャネルに供給される空気量もまた互いに独立して可変される。
そこでは、供給空気温度にのみ応ずるだけでなく、空調制御対象である部屋内または空調制御対象である部屋領域の温度（ＴRaumist）と所定温度目標値（ＴRaumsoll）との間の差分にも応じて、空調制御対象である個々の部屋や部屋領域に対する供給空気量を変化させることができる。
そこでは、高速の暖房または冷房が最適な快適さを保証するよう、空気量が必要に応じて増大される。
【００２４】
好ましくは、加湿および／または除湿装置が、要求に応じて駆動することのできる少なくとも１系統の供給空気チャネル内の供給空気に対し配設される。
【００２５】
さらに、少なくとも１系統の供給空気チャネル内に、要求に応じて切り換え投入するのに適した供給空気用の追加の冷房および／または暖房装置もまた配設することができる。
【００２６】
部屋と供給空気チャネル内の密度値により、さらなる制御可能性がもたらされる。
【００２７】
基本的には、空気を前処理する装置を各供給空気チャネルの前部に配設し、その装置内で要求に応じて空気を加熱し、冷却し、加湿し、または、除湿する。
【００２８】
本発明の一実施例によれば、供給空気チャネルは供給空気量を変更するように設計されている。
冷却調節装置および／または加熱調節装置および／または加湿および除湿装置は、個々の空気供給チャネルにおける最大可能な供給量に従うようにも設計することができる。
【００２９】
本発明のさらなる利点や特徴や利用可能性は、図面に示す実施例と併せて以下の説明から読み取ることができる。
【００３０】
本発明を図面に示した実施例を参照し以下により詳細に説明する。
明細書と特許請求の範囲と要約と図面には、下記の参照符号一覧に使用する用語を用いる。
【図面の簡単な説明】
【００３１】
【図１】本発明による２チャネル空調装置のブロック回路線図である。
【発明を実施するための形態】
【００３２】
図１には、本発明による２チャネル空調装置のブロック回路線図が示されている。
２チャネル空調装置１０は、中央供給空気チャネル１２を備えている。
この中央空気チャネル１２には、加熱調節装置１６だけでなく供給空気モータ１４もまた挿入され、加熱調節装置１６が供給空気モータ１４の下流に位置する。温度センサ１８は、加熱調節装置１６の下流に配置されている。
【００３３】
中央供給空気チャネル１２は、第１供給空気チャネル２０と第２供給空気チャネル２２内へ分岐されている。
第１の給空気チャネル２０内には、モータ２６により駆動されるフラップ２４が挿入されている。
同様に、第２供給空気チャネル内にはフラップ２８が挿入され、このフラップ２８がモータ３０により駆動される。
第１供給空気チャネル２０と第２供給空気チャネル２２の可変空気量は、フラップ２４、２６により、かつまた供給空気モータ１４により調整される。
【００３４】
第１供給空気チャネルフラップ２４の下流に、まず冷却調節装置３２、その後に加熱調節装置３４、最後に加湿装置３６が配置されている。
最後に、圧力センサ４２だけでなく温度センサ３８や湿度センサ４０もまた加湿装置３６の下流で第１供給空気チャネル２２内へ挿入されている。
第１供給空気チャネルは、部屋４４、４６、４８にそれぞれ接続されている。
【００３５】
この目的に合わせ、分岐チャネル５０がそれぞれ設けられ、それが個々の部屋４４、４６、４８の中央部で空気流入口５２に接続されている。
分岐チャネル５０は、第１供給空気チャネル２０の一部である。
この分岐チャネル５０内には、モータ５６により駆動されるよう適合されたフラップ５４が設けられている。
【００３６】
第１供給空気チャネル２０と同様に、第２供給空気チャネル２２もまた配置されている。
フラップ下流には、加湿装置６２だけでなく冷却調節装置５８と加熱調節装置６０もまた配置されている。
加湿装置６２には、圧力センサ６８だけでなく温度センサ６４と湿度センサ６６もまた続いている。
【００３７】
第２供給空気チャネル２２からは、第２分岐チャネル７０がそれぞれ分岐し、それが個々の部屋４４、４６、４８の空気流入口５２に接続されている。
第２分岐チャネル７０内には、モータ７４により駆動されるフラップ７２が配置されている。
【００３８】
空気品質センサ８０だけでなく温度センサ７６と湿度センサ７８もまた、部屋４４、４６、４８内にそれぞれ配設されている。
部屋４４、４６、４８内の温度は、個別センサにより制御される。
制御回路では、個々の目標値が個々の部屋ごとに予め設定されている。
そこでは、冷却調節装置３２、５８と加熱調節装置３４、６０と加湿装置３６、６２は、空調制御対象である部屋の冷房若しくは暖房温度または湿度が供給空気チャネル２０、２２の少なくとも一方で達成されていない場合にのみ駆動される。
通常は、空調制御対象である部屋４４、４６、４８内の空気流入口５２は１系統の供給空気チャネル２０または２２にだけ接続される。
それ故、先に公知の従来技術とは逆に、空気はもはや混合されず、第１供給空気チャネル２０かまたは第２供給空気チャネル２２のどちらかから取り込まれる。
【００３９】
空気量は、フラップ５４、７２により個別に調整される。
空調制御対象である個々の部屋４４、４６、４８に対する供給空気量は、供給空気温度に応じてとともに、空調制御対象である部屋の温度と設定温度との間の差分にも応じて変化する。
この目的に合わせ、個別温度センサ１８、３８、７６が配設される。
【００４０】
供給空気チャネル２０、２２内の圧力は、空調制御対象である部屋４４、４５、４８の必要な空気量に応じ、供給空気モータ１４とともにフラップ２４、２８、５４、７２によっても制御される。
【００４１】
加湿装置３６、６２とともに冷却調節装置３２、５８も加熱調節装置３４、６０もまた、個々の供給空気チャネル２０、２２の温度および／または密度値および／または湿度値が目標に一致しないときにのみ駆動される。
【００４２】
加熱調節装置１６、３４、６０とともに冷却調節装置３２、５８もまた、設定された温度範囲内で調整される。
【００４３】
フラップ５４、７２は、一種の弁装置を形成するものである。
それは、要求に応じて、供給空気チャネル２０、２２の一方だけが空調制御対象である部屋４４、４６、４８内の空気流入口５２に接続されるようにも形成される。
さらに、フラップ５４、７２により、個々の供給空気チャネル２０、２２からの空気量は互いに独立して制御される。
【００４４】
本発明による空調装置は、各供給空気チャネル内で可変温度を維持することができ、ここで最小供給空気温度は最小目標値に合わせ調整することができ、かつ／または最大供給空気温度は最大目標値に合わせ調整することができる。
【００４５】
第１供給空気チャネル２０と第２供給空気チャネル２２は、異なる量の供給空気に合わせ、およびの異なる出力の冷却調節装置および／または加熱調節装置に合わせ、大きさの異なる断面を備えていてもよい。
以下において、第１供給空気チャネル２０はより少ない供給空気体積に合わせ設計される。
第１供給空気チャネルの断面は、より小さくなっている。第２供給空気チャネル２２は、より多量の供給空気体積に合わせ設計されている。
第２供給空気チャネル２２の断面は、より大きくなっている。
【実施例１】
【００４６】
部屋４４、４６、４８は、室外温度０℃において暖房しなければならない。
部屋４４、４６、４８の暖房要求を賄うために第１供給空気チャネル２０で十分である場合、第２供給空気チャネル２２を部屋４４、４６、４８から切り離し、すなわち、フラップ７２、２８を閉じている。
第１供給空気チャネル２０のフラップ５４を開いている。
第１供給空気チャネル２０内の加熱調節装置３４もまた開くことができるが、第２供給空気チャネル２２内の加熱調節装置６０は閉じられている。
【実施例２】
【００４７】
室外温度は、例えば、−１０℃である。
この場合、実施例１にて前述したように、第１供給空気チャネル２０内の暖房出力は部屋４４、４６、４８を暖房昇温させるには全く不十分である。
この場合、より小さな加熱調節装置３４のために、かつ、より低い最大供給空気体積流のために、より低い加熱出力を備える第１供給空気チャネル２０を閉じることができる。
第１供給空気チャネル２０に比べ、より大きな加熱出力を有する第２の供給空気チャネル２２を開き、すなわち、フラップ７４を開ける。
第１供給空気チャネル２０のフラップ５４、２４を閉じる。
第１供給空気チャネル２０の加熱調節装置３４もまた閉じる。
第２供給空気チャネル２２の加熱調節装置６０を開ける。
【実施例３】
【００４８】
例えば、−２０℃の室外温度が存在する。
全ての部屋４４、４６、４８が、増大した暖房要求を有する。
この場合、その中に加熱調節装置６０を設けられた第２の供給空気チャネル２２の加熱出力は、部屋４４、４６、４８を暖房昇温させるには不十分であるかもしれない。
ここで、第１供給空気チャネル２０を追加的に開け、そこでフラップ５４、２４をさらに開き、加熱調節装置３４もまたさらに開く。
【００４９】
加熱出力を減らす場合、供給空気チャネル２０、２２は実例１〜３と類似のやり方で抑制制御することができる。
実施例１〜３による供給空気チャネル２０、２２の切り換えは、冷房の場合と同様に利用される。
部屋４４、４６、４８内には、各所に冷房要求が存在する。
同じことが、冷房の場合にも当てはまる。
【００５０】
本発明は、２系統の供給空気チャネル２０、２２内の温度をそれぞれ、例えば、１２℃から４５℃のように極端に変化させることができる点で、先に公知の従来技術に対し特徴付けられる。
さらに、また個々の供給空気量は、最小値、すなわち、個々の部屋の最小の新鮮な空気供給から、最大値、すなわち、最大の暖房や冷房または加湿や除湿まで変えることができる。
【００５１】
本発明の一実施例によれば、第１供給空気チャネル２０は、第２供給空気チャネル２２よりも小さな断面積で構成することができる。
それによって、異なる量の空気を両供給空気チャネル２０、２２から部屋４４、４６、４８内に供給することができる。
このことは、異なる暖房および／または冷房要求にとって特に重要である。
【００５２】
実施例１〜３を参照して上述したように、部屋４４、４６、４８において冷房要求または暖房要求が非常に大きい場合、より大きな断面積を有する第２供給空気チャネル２２が駆動される。
冷房または暖房要求が低い場合、より小さな断面積を有する第１供給空気チャネル２０が駆動される。
【００５３】
しかしながら、混合処理、すなわち、部屋４４、４６、４８の１つまたはその他を冷房し、または部屋４４、４６、４８の１つまたはその他を暖房することが、可能である。
部屋４４、４６、４８に対するより大きな冷房要求または暖房要求に応じ、より大きな供給空気チャネル、すなわち、第２供給空気チャネル２２が冷房または暖房要求に対し駆動され、第１供給空気チャネル２０が冷房または暖房要求に対し、より小さな供給空気体積で駆動される。
【００５４】
例えば、冬季には、第２供給空気チャネル２２を高温空気チャネルとし、すなわち、部屋４４、４６、４８をこのチャネルにより暖房する。
より小さな供給空気体積を有する第１供給空気チャネル２０を冷房用に駆動し、すなわち、この第１供給空気チャネル２０を介して要求に応じて部屋４４、４６、４８を冷房する。
【００５５】
そして、例えば、夏季には、より大きな供給空気体積を有する第２供給空気チャネル２２を冷房チャネルとし、より小さな供給空気体積を有する第１供給空気チャネルを暖房チャネルとする。
これに応じて、部屋４４、４６、４８は一方または他方のチャネルを介して冷房または暖房される。
【００５６】
特に、第２供給空気チャネル２２内の温度センサ６４の温度値と同様に第１供給空気チャネル２０内の温度センサ３８の温度値もまた、第１供給空気チャネル２０または第２供給空気チャネル２２内のそれぞれに関連するフラップ５４、７２の開閉に用いられる。
両供給空気チャネル２０、２２内で冷房と暖房を行う場合、供給空気チャネル２０、２２にそれぞれ関連するフラップ５４、７２を相関して開き、または閉じる。
両供給空気チャネルが同じ供給空気温度である場合、フラップ５４、７２のフラップ位置は個々の部屋４４、４６、４８ごとに同一となる。
このことは、暖房／冷房要求が大きいときは両フラップを１００％開かせ、暖房／冷房要求が実質的に賄える場合には、例えば、フラップを３０％しか開かないことを意味する。
フラップの開度値は、１つの部屋と他の部屋とで変えることができる。
【００５７】
部屋４４、４６、４８の暖房および冷房の場合と同様に、供給空気チャネルは加湿用および除湿用に駆動も停止もできる。
【００５８】
本発明によれば、ここで弁装置５４、７２を互いに独立して調整できるようにすることが可能となる。
それによって、広範囲に及ぶ可能性が得られる。
例えば、高速で暖房または冷房ができるように、他方の供給空気チャネルと同時に一方の供給空気チャネルを通じて最大限に可能な供給空気を空調制御対象である部屋へ導入することが可能となる。
それによって、システムの柔軟性だけでなく反応速度もまた増大させることができる。
好ましくは、特定の供給空気チャネル内の圧力、温度、湿度、密度の各要素の一つを他の供給空気チャネル内の個々の要素とは無関係に調整することができる。
【００５９】
弁装置を分離することで、上流に設けられたもうひとつの１チャネルシステムを有する少なくとも１系統の供給空気チャネル２０、２２の要求に応える供給が可能となることも、もうひとつの特徴である。
独立して調整可能な弁装置５４、７２により、発生した圧力変動を均衡することができる。
【符号の説明】
【００６０】
１０  ２チャネル空調装置
１２  中央供給空気チャネル
１４  供給空気モータ
１６  加熱調節装置
１８  温度センサ
２０  第１供給空気チャネル
２２  第２供給空気チャネル
２４  第１供給空気チャネルフラップ
２６  第１供給空気チャネルモータ
２８  第２供給空気チャネルフラップ
３０  第２供給空気チャネルモータ
３２  冷却調節装置
３４  加熱調節装置
３６  加湿装置
３８  温度センサ
４０  湿度センサ
４２  圧力センサ
４４  空調制御対象の部屋
４６  空調制御対象の部屋
４８  空調制御対象の部屋
５０  第１供給空気チャネル分岐チャネル
５２  空調制御対象の部屋空気流入口、空気流入装置
５４  第１分岐チャネルフラップ
５６  第１分岐チャネルフラップ用モータ
５８  冷却調節装置
６０  加熱調節装置
６２  加湿装置
６４  温度センサ
６６  湿度センサ
６８  圧力センサ
７０  第２分岐チャネル
７２  第２分岐チャネルフラップ
７４  第２分岐チャネルフラップ用モータ
７６  温度センサ
７８  湿度センサ
８０  空気品質センサ
【図１】
2011513684.tif 000003
【国際調査報告】
2011513684.tif 000004
2011513684.tif 000005
2011513684.tif 000006
2011513684.tif 000007
2011513684.tif 000008
2011513684.tif 000009